(57)【特許請求の範囲】
【請求項１】
前面筐体と背面筐体とで箱状に形成された筐体を備え、
前記前面筐体は、前主面に配され、情報信号から変換した視認情報を表示可能な表示手段と、前記表示手段の近傍に配された主操作手段とを有し、
前記背面筐体は、左側面および右側面に近い位置に形成された一対の把持部と、前記一対の把持部の間に形成され、前記背面筐体における前記前主面と平行な裏主面の法線方向に窪んだ低面部とを有し、
前記背面筐体の前記裏主面における互いに対向する一対の端辺の近傍にそれぞれに対をなして配され、周囲に前記背面筐体における前記前主面と平行な裏主面の法線方向に突出形成された周囲突起部を有する副操作手段が、前記把持部よりも上方に配置されることで、操作者が前記把持部を第３指、第４指、および、第５指で把持した場合に第２指により操作可能に配されている、電子装置。
【請求項２】
前記一対の把持部同士の間隔は、前記操作者が把持した際に、第２指が存在する側から第５指が存在する側にかけて広がっている、請求項１に記載の電子装置。
【請求項３】
前記一対の副操作手段は、前記一対の把持部同士の間隔よりも広い間隔で配置されている、請求項１に記載の電子装置。
【発明の詳細な説明】
【技術分野】
【０００１】
本発明は、各種情報を処理可能な電子装置に関する。
【背景技術】
【０００２】
従来からＰＤＡ（Personal Digital Assistant）端末などの電子装置は、操作性を損なわないように、装置筐体の一つの表面に集中して配置することが一般的であった。しかし、近年のＰＤＡは、小型化が要求されているとともに、映像コンテンツを視聴する機能が搭載されていることにより液晶モニタの表示エリアのサイズの大型化が要求されている。よって、カーソルキーや数字入力キーなどの各種操作手段を配置するスペースを確保しづらくなってきている。
【０００３】
上記のような問題を解消するために、電子装置の主要機能が割り当てられている操作手段を装置筐体の表面に配置し、補助機能が割り当てられている操作手段を装置筐体の他の面（例えば裏面）に配置する構成が提案されている。そのような構成は、例えば特許文献１に開示されている。
【特許文献１】特開２００２−６９８８号公報
【発明の開示】
【発明が解決しようとする課題】
【０００４】
しかしながら特許文献に開示されている構成では、端末装置の裏面に配されている操作手段（操作パッド）が裏面の一方の隅近傍に配置されているため、たとえ端末装置を両手で把持して使用したとしても、左右いずれかの手（図示では右手の指のみ）でしか操作ができず、操作性が良いとは言えない。
【０００５】
本発明の目的は、左右いずれの手でも、筐体裏面に配されている操作手段を操作することができるので、操作性を向上させることができる電子装置を提供することである。
【課題を解決するための手段】
【０００６】
本発明の電子装置は、前面筐体と背面筐体とで箱状に形成された筐体を備え、前記前面筐体は、前主面に配され、情報信号から変換した視認情報を表示可能な表示手段と、前記表示手段の近傍に配された主操作手段とを有し、前記背面筐体は、左側面および右側面に近い位置に形成された一対の把持部と、前記一対の把持部の間に形成され、前記背面筐体における前記前主面と平行な裏主面の法線方向に窪んだ低面部とを有し、前記背面筐体の前記裏主面における互いに対向する一対の端辺の近傍にそれぞれに対をなして配され、周囲に前記背面筐体における前記前主面と平行な裏主面の法線方向に突出形成された周囲突起部を有する副操作手段が、前記把持部よりも上方に配置されることで、操作者が前記把持部を第３指、第４指、および、第５指で把持した場合に第２指により操作可能に配されている。
【発明の効果】
【０００７】
本発明によれば、左右いずれの上肢でも、筐体背面に配されている操作手段を操作することができるので、操作性を向上させることができる。
【発明を実施するための最良の形態】
【０００８】
本発明の電子装置において、前記副操作手段は、当該副操作手段を操作する操作面の中央部近傍に、当該操作面よりも高く形成されている凸形状部を備える構成とすることができる。このような構成とすることにより、使用者において指の先端の感触だけで、副操作手段の位置を容易に把握することができる。
【０００９】
本発明の電子装置において、前記周囲突起部は、前記裏主面からの前記副操作手段における操作面の高さ以上に形成されている頂部を備えた構成とすることができる。このような構成とすることにより、副操作手段が配されている面を机上等の平坦面に向けて載置しても、装置の自重による操作手段の誤操作を抑制できる。
【００１０】
本発明の電子装置において、前記周囲突起部は、前記凸形状部の高さ以上に形成されている頂部を備えた構成とすることができる。このような構成とすることにより、副操作手段が配されている面を机上等の平坦面に向けて載置しても、装置の自重による操作手段の誤操作を抑制できる。
【００１１】
本発明の電子装置において、対をなす前記副操作手段は、同一機能が割り当てられている構成とすることができる。このような構成とすることにより、電子装置を片手で把持した状態で操作をすることができるとともに、両手で把持した状態であっても誤操作（押し間違い）が生じない。
【００１２】
（実施の形態）
〔１．電子装置の構成〕
図１及び図２は、本実施の形態における電子装置の外観を示す斜視図である。図１は、主に前面側の構成を示す。図２は、主に背面側の構成を示す。本実施の形態における電子装置１０１は、内部に中央演算処理装置などの処理手段や、情報を記憶可能な半導体メモリーなどの記憶手段を備えたＰＤＡを一例としている。また、電子装置１０１は、液晶モニタ１０２（表示手段）、操作ボタン１０３（主操作手段）、補助操作ボタン１０４ａ〜１０４ｅ（主操作手段）、背面操作ボタン１０５ａ及び１０５ｂ（副操作手段）を備えている。
【００１３】
電子装置１０１は、平面または曲面で構成された六面の筐体で外郭が形成されている。本実施の形態において、液晶モニタ１０２や操作ボタン１０３などが配されている面を前面１０１ａと定義し、前面１０１ａの裏側の面を背面１０１ｂと定義し、前面１０１ａ及び背面１０１ｂに隣接し図示向かって上側の面を上面１０１ｃと定義し、上面１０１ｃの裏側の面を下面１０１ｄと定義し、前面１０１ａと背面１０１ｂと上面１０１ｃと下面１０１ｄとに隣接し図１における向かって左側の面を左側面１０１ｅと定義し、左側面１０１ｅの裏側の面を右側面１０１ｆと定義する。また、電子装置１０１は、本実施の形態では使用者が容易に手で把持することができる大きさ及び重さを有する。また、左側面１０１ｅ及び右側面１０１ｆは、その長手方向の略中央部が電子装置１０１の内側に向かって湾曲状に窪んで形成されている。
【００１４】
液晶モニタ１０２は、電子装置１０１内の処理手段に含まれる表示制御マイコンにより、各種情報を表示することができる。本実施の形態では、液晶モニタ１０２の有効表示エリアは７インチ程度の大きさとした。また、本実施の形態では、液晶モニタ１０２は、表示面を押圧することで所定の操作が可能なタッチパネル機能を備えた表示パネルを用いたが、表示のみを行う表示パネルであってもよい。また、本発明の表示手段は、液晶モニタ１０２を採用したが、有機ＥＬディスプレイなどのように少なくとも情報を表示することができれば他の表示パネルを採用することができる。
【００１５】
操作ボタン１０３は、例えばパソコンのキーボードに一般的に採用されている、アルファベットや平仮名などを入力可能な複数のボタンで構成されている。本実施の形態では、押しボタン型の操作ボタンのみを配しているが、レバー型やボール型などの操作手段を備えていてもよい。
【００１６】
補助操作ボタン１０４ａ及び１０４ｂは、液晶モニタ１０２に対して左側面１０１ｅに近い側に配されている。また、補助操作ボタン１０４ａと補助操作ボタン１０４ｂとの間には、少なくとも使用者の第１指を配置可能な領域Ａ１（本発明の平坦部の一例）を備えている。領域Ａ１には、各種操作ボタンを配置しない。補助操作ボタン１０４ｃ〜１０４ｅは、液晶モニタ１０２に対して右側面１０１ｆに近い側に配されている。また、補助操作ボタン１０４ｄと補助操作ボタン１０４ｅとの間には、少なくとも使用者の第１指を配置可能な領域Ａ２（本発明の平坦部の一例）を備えている。領域Ａ２には、各種操作ボタンを配置しない。このように、領域Ａ１及びＡ２に各種操作ボタンを配置しないことで、使用者が電子装置１０１を手で把持した際に、第１指が誤って各種操作ボタンに触れ、誤操作してしまうことを防止することができる。
【００１７】
また、領域Ａ１またはＡ２の近傍に、電子装置１０１の電源投入状態、電池残量、記憶手段へのアクセス状態などを表示可能な発光ダイオードを配置することができる。発光ダイオードを配置する場合、発光ダイオードを領域Ａ１及びＡ２以外の箇所に配置することで、使用者が電子装置１０１を手で把持した際に第１指で発光ダイオードを隠蔽することを防止することができるため、発光ダイオードの発光状態を容易に視認可能とすることができる。
【００１８】
バーコードリーダー１０６は、赤外線が出射する発光部と、バーコードで反射した赤外線を受光可能な受光部とを備えている。
【００１９】
撮像部１０７は、例えばＣＣＤイメージセンサーなどの撮像素子が内蔵され、被写体像などを撮影することができる。
【００２０】
電子装置１０１は、内部に中央演算処理装置などの処理手段や、各種情報を記憶可能な半導体メモリーなどの記憶手段を備え、操作ボタン１０３などの操作手段が使用者によって操作されると処理手段が所定の情報処理を行うことができる。また、処理手段における処理の結果を、液晶モニタ１０２などの表示手段に表示させることができる。
【００２１】
〔２．背面操作ボタンの構成〕
図２に示すように、背面操作ボタン１０５ａは、背面１０１ｂにおける左側面１０１ｅ寄りに配されている。また、背面操作ボタン１０５ｂは、背面１０１ｂにおける右側面１０１ｆ寄りに配されている。本実施の形態の電子装置１０１は、後述するが、両手または片手で把持して使用することを前提としているため、背面操作ボタン１０５ａは左手で良好に操作可能な位置に配され、背面操作ボタン１０５ｂは右手で良好に操作可能な位置に配されている。
【００２２】
また、背面操作ボタン１０５ａ及び１０５ｂは、真円形でもよいが、図２に示すように小判型としてもよい。本実施の形態では、背面１０１ｂには背面操作ボタン１０５ａ及び１０５ｂ以外の操作手段を備えていないが、仮に他の操作手段を背面１０１ｂに備える構成である場合、背面操作ボタン１０５ａ及び１０５ｂと他の操作手段との形状または大きさを異ならせることが好ましい。このような構成とすることで、使用者は、背面１０１ｂを目視せずに、指先で得られる感触のみで所望の操作手段を特定または把握することができる。
【００２３】
また、背面操作ボタン１０５ａ及び１０５ｂは、それぞれ異なる機能が割り当てられていてもよいし、同一機能が割り当てられていてもよい。背面操作ボタン１０５ａ及び１０５ｂに同一機能を割り当てることにより、電子装置１０１を片手で把持した状態で操作をすることができるとともに、両手で把持した状態であっても押し間違いによる誤操作が生じない。本実施の形態では、背面操作ボタン１０５ａ及び１０５ｂには、バーコードリーダー１０６のトリガー機能を割り当てている。すなわち、背面操作ボタン１０５ａまたは１０５ｂを操作することで、電子装置１０１内の制御回路が作動し、上面１０１ｃに配されているバーコードリーダー１０６でバーコード（不図示）を読み取ることができる。
【００２４】
図３は、背面操作ボタン１０５ａの拡大斜視図である。図４は、背面操作ボタン１０５ａの断面図であり、図３におけるＺ−Ｚ部の断面である。なお、図３は、背面操作ボタン１０５ａのみを示しているが、背面操作ボタン１０５ｂは同一構成であるため図示及び詳細説明は省略する。
【００２５】
図３及び図４に示すように、背面操作ボタン１０５ａは、背面１０１ｂに形成された孔部１５１内に配されている。孔部１５１は、背面操作ボタン１０５ａの相似形状に形成され、本実施の形態では小判型とした。
【００２６】
孔部１５１内に配された背面操作ボタン１０５ａは、矢印ＡまたはＢに示す方向に移動可能に配されている。背面操作ボタン１０５ａは、押圧操作されていない状態では図４に示す位置にあり、押圧操作されることで図４に示す位置から矢印Ａに示す方向に移動し、背面操作ボタン１０５ａの下端が孔部１５１の下方に配されたスイッチ素子１５３を押圧する。使用者が背面操作ボタン１０５ａから指を離すと、別途設けられた弾性手段により背面操作ボタン１０５ａは矢印Ｂに示す方向へ移動され、図４に示す位置に復帰する。
【００２７】
背面操作ボタン１０５ａの操作面１０５ｄ上の略中央には、突起部１０５ｃが形成されている。本実施の形態では、突起部１０５ｃは、略四角柱状に形成され、その長辺方向が小判型の背面操作ボタン１０５ａの長手方向に対して略平行になるように形成されている。突起部１０５ｃは、使用者が指先の感触で背面操作ボタン１０５ａの位置を把握するための部材である。なお、本実施の形態における突起部１０５ｃの形状は一例であり、三角柱状、半円柱状など、少なくとも背面操作ボタン１０５ａの表面から突出した形状であればよい。また、突起部１０５ｃの配置位置は、背面操作ボタン１０５ａの操作面１０５ｄの中央部に限らない。
【００２８】
また、背面操作ボタン１０５ａの周囲における背面１０１ｂ上には、背面１０１ｂの法線方向に突出した突起部１５２が形成されている。突起部１５２は、背面操作ボタン１０５ａの周囲を囲むように形成されている。なお、突起部１５２は、必ずしも背面操作ボタン１０５ａの全周囲を囲むように形成されている必要はなく、小判型の背面操作ボタン１０５ａの長辺部分に隣接する部分にのみ突起部を設ける構成や、背面操作ボタン１０５ａの周囲を部分的に囲むように突起部を設ける構成とすることができる。突起部１５２は、少なくとも使用者において背面１０１ｂを目視できない状態の時に、使用者の指先の感触で存在を把握することができる形状であればよい。
【００２９】
また、突起部１５２は、背面１０１ｂからの頂部１５２ａの高さ寸法が、背面操作ボタン１０５ａが図４に示す位置（未操作状態）にある時の操作面１０５ｄまたは突起部１０５ｃの頂部１０５ｅと同一高さ、あるいは操作面１０５ｄまたは突起部１０５ｃの頂部１０５ｅよりも高くなる寸法を有している。このように突起部１５２を形成することで、電子装置１０１を背面１０１ｂが机上などの平坦面に対向する姿勢で平坦面上に載置した時に、突起部１５２の頂部１５２ａが平坦面に当接する。この時、突起部１０５ｃの頂部１０５ｅは、平坦面に当接しない、または頂部１０５ｅは、背面操作ボタン１０５ａの下部に配されたスイッチ素子１５３が作動しない程度の押圧力で平坦面に当接する。したがって、突起部１０５ｃに大きな押圧力が加わらないため、電子装置１０１の自重により背面操作ボタン１０５ａが矢印Ａに示す方向へ押圧操作されてしまうことを防ぐことができ、背面操作ボタン１０５ａの誤操作を防止することができる。
【００３０】
〔３．電子装置の把持方法〕
電子装置１０１は、机上などに載置して操作することが可能であるとともに、両手または片手で把持して操作することも可能である。
【００３１】
図５は、電子装置１０１を両手で把持した状態を前面側から見た図である。図６は、電子装置１０１を両手で把持した状態を背面側から見た図である。以下、図２〜図６を参照して電子装置の把持方法について説明する。
【００３２】
背面１０１ｂは、図２に示すように左側面１０１ｅ及び右側面１０１ｆに近い位置に把持部１１２ａ及び１１２ｂを備えている。
【００３３】
把持部１１２ａ及び１１２ｂは、凸状の曲面で形成されていることが好ましい。このような構成とすることで、左手１２１及び右手１２２の各指が把持部１１２ａ及び１１２ｂにフィットしやすいため、グリップ性が向上する。なお、把持部１１２ａ及び１１２ｂは、表面を平面で形成してもよい。
【００３４】
また、把持部１１２ａと左側面１０１ｅとの境界部、および把持部１１２ｂと右側面１０１ｆとの境界部は、曲面で形成されていることが好ましい。このような構成とすることで、左手１２１及び右手１２２の各指の根元近傍及び掌が前記境界部にフィットしやすいため、グリップ性が向上する。
【００３５】
凹部１１３は、把持部１１２ａ及び１１２ｂに対して、背面１０１ｂの法線方向に窪んだ形状に形成されている。凹部１１３は、把持部１１２ａに接する内面１１３ａと、把持部１１２ｂに接する内面１１３ｂとを備えている。内面１１３ａと把持部１１２ａとの境界部、及び内面１１３ｂと把持部１１２ｂとの境界部は、曲面で形成されていることが好ましい。このような構成とすることにより、左手１２１及び右手１２２の指先近傍が前記境界部にフィットしやすいため、グリップ性が向上する。
【００３６】
片手（例えば図５に示す左手１２１）で電子装置１０１を把持する場合は、電子装置１０１の左側面１０１ｅの湾曲部１０１ｇに左手１２１の掌を当接させて、第２指１２１ｂ（人差し指）、第３指１２１ｃ（中指）、第４指１２１ｄ（薬指）、第５指１２１ｅ（小指）で電子装置１０１の背面１０１ｂの把持部１１２ａを把持し、第１指１２１ａ（親指）で前面１０１ａを把持する。また、電子装置１０１の背面１０１ｂにおいて、第２指１２１ｂ〜第５指１２１ｅの指先（末節）が凹部１１３の内面１１３ａに当接しているため、電子装置１０１を左手１２１で把持している状態において、電子装置１０１が手から離れる方向への移動が規制されるため、電子装置１０１を誤って落下させてしまうことを防ぐことができる。電子装置１０１を左手１２１で把持している時は、左手１２１の第１指１２１ａで補助操作ボタン１０４ａなどを操作可能であるとともに、右手１２２は電子装置１０１におけるいずれの箇所も把持していないので操作ボタン１０３などを操作することができる。また、電子装置１０１を右手１２２で把持する場合は、左手１２１の各指を上記と同様に配置することで、電子装置１０１を把持及び操作することができる。
【００３７】
また、図５及び図６に示すように、電子装置１０１を両手で把持する場合は、電子装置１０１の左側面１０１ｅの湾曲部１０１ｇに左手１２１の掌を当接させて、第２指１２１ｂ、第３指１２１ｃ、第４指１２１ｄ、第５指１２１ｅで電子装置１０１の背面１０１ｂの把持部１１２ａを把持し、第１指１２１ａで前面１０１ａを把持する。この時、第１指１２１ａの先端近傍は、領域Ａ１に位置していることが好ましく、これにより各種操作ボタンの誤操作を防止することができる。また、電子装置１０１の右側面１０１ｆの湾曲部１０１ｈに右手１２２の掌を当接させて、第２指１２２ｂ、第３指１２２ｃ、第４指１２２ｄ、第５指１２２ｅで電子装置１０１の背面１０１ｂの把持部１１２ｂを把持し、第１指１２２ａで前面１０１ａを把持する。この時、第１指１２２ａの先端近傍は、領域Ａ２に位置していることが好ましく、これにより各種操作ボタンの誤操作を防止することができる。
【００３８】
電子装置１０１を両手で把持している時、左手１２１の第１指１２１ａを前面１０１ａの面方向へ移動させることで、操作ボタン１０３のうち左側面１０１ｅに近い側に配置されている操作ボタン、および補助操作ボタン１０４ａ及び１０４ｂを操作することができる。また、右手１２２の第１指１２２ａを前面１０１ａの面方向へ移動させることで、操作ボタン１０３のうち右側面１０１ｆに近い側に配置されている操作ボタン、および補助操作ボタン１０４ｃ〜１０４ｅを操作することができる。
【００３９】
電子装置１０１を両手で把持している時、通常は、左手１２１の第２指１２１ｂ、第３指１２１ｃ、第４指１２１ｄ、第５指１２１ｅは把持部１１２ａを把持し、右手１２２の第２指１２２ｂ、第３指１２２ｃ、第４指１２２ｄ、第５指１２２ｅは把持部１１２ｂを把持している。この状態から、左手１２１の第２指１２１ｂを背面操作ボタン１０５ａ上まで移動させることができる。また、右手１２２の第２指１２２ｂを背面操作ボタン１０５ｂ上まで移動させることができる。図６は、右手１２２の第２指１２２ｂを背面操作ボタン１０５ｂ上に移動させた状態を示す。この状態で、第２指１２２ｂで背面操作ボタン１０５ｂを押圧操作可能である。
【００４０】
使用者の両手が図６に示す状態にある時、通常は使用者の顔面は電子装置１０１の前面１０１ａに対向している。したがって、使用者は前面１０１ａを目視できるが、背面１０１ｂを容易に目視することはできない。このように、使用者が背面１０１ｂを目視できない状態であっても、背面操作ボタン１０５ａ及び１０５ｂに突起部１０５ｃが形成され、背面操作ボタン１０５ａ及び１０５ｂの周囲に突起部１５２が形成されていることにより、使用者は指（本実施の形態では第２指）の先端の感触だけで、背面操作ボタン１０５ａ及び１０５ｂの位置を把握することができる。
【００４１】
背面操作ボタン１０５ａ及び／または１０５ｂを押圧操作することにより、背面操作ボタン１０５ａ及び／または１０５ｂの下方に配されたスイッチ素子１５３がオンとなり、所定の機能が実行される。本実施の形態では、背面操作ボタン１０５ａ及び１０５ｂには、いずれもバーコードリーダー１０６のバーコード読み取り開始命令を割り当てている。したがって、背面操作ボタン１０５ａ及び１０５ｂの少なくともいずれか一方を操作することで、バーコードリーダー１０６から赤外線が出射するよう制御され、またバーコードで反射した赤外線をバーコードリーダー１０６で受光するよう制御される。
【００４２】
本実施の形態では、背面操作ボタン１０５ａ及び１０５ｂのそれぞれに同一機能を割り当てたが、互いに異なる機能を割り当ててもよい。
【００４３】
また、背面操作ボタン１０５ａ及び１０５ｂに割り当てる機能は、バーコード読み取り命令に限らず、他の機能であってもよい。例えば、電子装置１０１に配された撮像部１０７で被写体等の撮影を行うことができるレリーズボタンの機能を割り当ててもよい。
【００４４】
〔４．実施の形態の効果、他〕
本実施の形態によれば、背面操作ボタン１０５ａ及び１０５ｂの周囲に突起部１５２を形成したことにより、前面１０１ａが机上等の平坦面に対向するように電子装置１０１を載置したとしても、電子装置１０１の自重により背面操作ボタン１０５ａ及び１０５ｂが誤操作されることを防止することができる。
【００４５】
また、本実施の形態によれば、背面１０１ｂの左右両端近傍に背面操作ボタン１０５ａ及び１０５ｂを配置したことにより、電子装置１０１を左手、右手、両手のいずれで把持したとしても、確実に背面操作ボタン１０５ａまたは１０５ｂを操作することができる。したがって、使い勝手を向上させることができる。
【００４６】
例えば、特開２００２−６９８８号公報に開示されている構成では、端末装置の裏面に配されている操作手段（操作パッド）が裏面の一方の隅近傍に配置されているため、たとえ端末装置を両手で把持して使用したとしても、左右いずれかの手（図示では右手の指のみ）でしか操作ができず、操作性が良いとは言えない。これに対して本実施の形態の電子装置は、左右いずれの手でも、筐体裏面に配されている操作手段を操作することができるので、操作性を向上させることができる。
【００４７】
また、背面１０１ｂに配された背面操作ボタン１０５ａ及び１０５ｂに突起部１０５ｃを形成し、さらに背面操作ボタン１０５ａ及び１０５ｂの周囲に突起部１５２を形成したことにより、使用者において指（本実施の形態では第２指）の先端の感触だけで、背面操作ボタン１０５ａ及び１０５ｂの位置を容易に把握することができる。
【００４８】
また、本実施の形態の背面操作ボタン１０５ａ及び１０５ｂは、図５及び図６に示すように、左手１２１で左側面１０１ｅ側を把持し、および／または、右手１２２で右側面１０１ｆ側を把持している状態において、背面１０１ｂ上に位置している第２指１２１ｂ及び１２２ｂが容易に移動可能な範囲に背面操作ボタン１０５ａ及び１０５ｂを配置したことにより、指先による背面操作ボタン１０５ａ及び１０５ｂの探索を容易かつ迅速に行うことができる。
【００４９】
また、突起部１５２の高さを、背面操作ボタン１０５ａ及び１０５ｂの高さ（突起部１０５ｃの高さ）と同一か高くしたことにより、前面１０１ａが机上等の平坦面に対向するように電子装置１０１を載置したとしても、電子装置１０１の自重により背面操作ボタン１０５ａ及び１０５ｂが誤操作されることを防止することができる。
【００５０】
また、本実施の形態では、背面操作ボタン１０５ａ及び１０５ｂは、その長辺方向が背面１０１ｂにおける左側面１０１ｅに接する端部の方向に対して略平行になるように配置したが、図７に示すように所定角度（例えば３０度）傾けて配置してもよい。このような配置とすることで、図６に示すように両手または片手で電子装置１０１を把持し、第２指１２１ｂ及び１２２ｂが背面操作ボタン１０５ａ及び１０５ｂ上に位置した際に、背面操作ボタン１０５ａ及び１０５ｂの傾きと第２指１２１ｂ及び１２２ｂの傾きとがほぼ一致する。したがって、第２指１２１ｂ及び１２２ｂを自然な姿勢にしたまま、背面操作ボタン１０５ａ及び１０５ｂを操作することができ、操作性を向上させることができる。
【００５１】
また、背面操作ボタン１０５ａ及び１０５ｂに同一機能を割り当てる構成とすることにより、電子装置１０１を片手で把持した状態で操作をすることができるとともに、両手で把持した状態であっても誤操作（押し間違い等）が生じない。
【００５２】
なお、本実施の形態では、突起部１０５ｃと突起部１５２の両方を備えたが、いずれか一方のみ備える構成であっても、背面１０１ｂを目視せずに背面操作ボタン１０５ａ及び１０５ｂの位置を把握することができる。
【００５３】
また、本実施の形態では、ＰＤＡを一例として挙げて説明したが、少なくとも使用者が手で把持して操作を行うことができる機器であればよい。例えば、パーソナルコンピューター、ＤＶＤなどのディスク状媒体を着脱可能なドライブまたはハードディスクドライブなどを備えたポータブルディスクプレーヤー、ポータブルナビゲーションシステム、看護士等が患者の日々の様子を検査する検査データを収集する医療用端末などに有用である。
【００５４】
また、本実施の形態における液晶モニタ１０２は、本発明の表示手段の一例である。また、操作ボタン１０３、補助操作ボタン１０４ａ〜１０４ｅは、主操作手段の一例である。また、背面操作ボタン１０５ａ及び１０５ｂは、副操作手段の一例である。また、筐体の前面１０１ａは、本発明の前主面の一例である。また、筐体の背面１０１ｂは、本発明の裏主面の一例である。また、湾曲部１０１ｇ及び１０１ｈは、本発明における湾曲部の一例である。また、突起部１５２は、周囲突起部の一例である。また、突起部１０５ｃは、本発明における凸形状部の一例である。また、操作面１０５ｄは、本発明における操作面の一例である。また、頂部１５２ａは、本発明における頂部の一例である。また、凹部１１３は、本発明における低面部の一例である。
【産業上の利用可能性】
【００５５】
本発明の電子装置は、手で把持して使用することが可能な装置に有用である。
【図面の簡単な説明】
【００５６】
【図１】実施の形態における電子装置の外観を示す斜視図
【図２】実施の形態における電子装置の外観を示す斜視図
【図３】背面操作ボタンの斜視図
【図４】図３におけるＺ−Ｚ部の断面図
【図５】実施の形態における電子装置を使用者が把持した状態を示す平面図
【図６】実施の形態における電子装置を使用者が把持した状態を示す平面図
【図７】実施の形態における電子装置の他例の外観を示す斜視図
【符号の説明】
【００５７】
１０１  電子装置
１０２  液晶モニタ
１０３  操作部
１０５ａ、１０５ｂ  背面操作ボタン
１０５ｃ  突起部
１５２  突起部
【図１】
0005224594.tif 000002
【図２】
0005224594.tif 000003
【図３】
0005224594.tif 000004
【図４】
0005224594.tif 000005
【図５】
0005224594.tif 000006
【図６】
0005224594.tif 000007
【図７】
0005224594.tif 000008